(57)【要約】本発明は、無線接続システムにおけるデータ伝送方法及びパケット再伝送方法を開示する。本発明は、パケット再伝送に必要な情報が含まれた初期制御メッセージを基地局から受信する段階と、前記基地局からサービスを受けるためのパケットを伝送する段階と、前記基地局からＮＡＣＫ（Ｎｏｎ−Ａｃｋｎｏｗｌｅｄｇｍｅｎｔ）信号を受信すると、前記初期制御メッセージに含まれた前記パケット再伝送に必要な情報を用いて、前記基地局に前記ＮＡＣＫ信号に該当する前記パケットを再伝送する段階と、を含む。これによれば、再伝送時に別の制御メッセージを伝送する必要かないため、別途の制御メッセージを伝送せずに、既に割り当てられた再伝送領域を通じてパケットを再伝送することによって、無線リソースを節約でき、オーバーヘッドを減らすことができる。【選択図】図３
2010537542.tif 000002
【特許請求の範囲】
【請求項１】
無線接続システムでパケットを再伝送する方法であって、
パケット再伝送に必要な情報が含まれた制御メッセージを基地局から受信し、
前記基地局からサービスを受けるためのパケットを伝送し、
前記基地局からＮＡＣＫ（Ｎｏｎ−Ａｃｋｎｏｗｌｅｄｇｍｅｎｔ）信号を受信すると、前記初期制御メッセージに含まれた前記パケット再伝送に必要な情報を用いて前記基地局に前記ＮＡＣＫ信号に該当する前記パケットを再伝送すること
を含む、パケット再伝送方法。
【請求項２】
前記パケット再伝送に必要な情報は、
前記パケット再伝送のためのリソース割当領域情報、ＭＣＳ（Ｍｏｄｕｌａｔｉｏｎ  ａｎｄ  Ｃｏｄｉｎｇ  Ｓｃｈｅｍｅ）レベル情報及び伝送時点のうち一つ以上を含む、請求項１に記載のパケット再伝送方法。
【請求項３】
前記パケット再伝送に必要な情報は、
一つ以上の端末のそれぞれに前記パケット再伝送に必要な互いに異なるリソース割当領域を割り当てるための情報を含む、請求項１に記載のパケット再伝送方法。
【請求項４】
前記パケット再伝送に必要な情報は、
一つ以上の端末のうち、互いに同一のリソース割当領域の大きさを有する端末を含む一つ以上のグループを構成し、前記一つ以上のグループに前記パケット再伝送に必要な資源割当領域をそれぞれ割り当てるための情報を含む、請求項１に記載のパケット再伝送方法。
【請求項５】
前記パケット再伝送に必要な情報は、
一つ以上の端末の前記パケット再伝送のための再伝送専用チャネルを設定するための情報、及び前記再伝送専用チャネルにおける前記パケット再伝送に必要な特定領域に関する情報を含む、請求項１に記載のパケット再伝送方法。
【請求項６】
前記パケット再伝送に必要な特定領域は、
前記再伝送専用チャネルの一部領域である、請求項５に記載のパケット再伝送方法。
【請求項７】
前記制御メッセージは、
ＵＬ  ＭＡＰ（Ｕｐ−Ｌｉｎｋ  ＭＡＰ）メッセージまたはＭＡＣ（Ｍｅｄｉａ  Ａｃｃｅｓｓ  Ｃｏｎｔｒｏｌ）管理メッセージであり、
前記ＭＡＣ管理メッセージは、動的サービス追加メッセージ（ＤＳＡ−ＲＥＱまたはＤＳＡ−ＲＳＰ）、チャネル記述子メッセージ（ＵＣＤ）及び端末基本性能メッセージ（ＳＢＣ−ＲＥＱまたはＳＢＣ−ＲＳＰ）のうち一つである、請求項１に記載のパケット再伝送方法。
【請求項８】
無線接続システムでパケットを再伝送する方法であって、
パケット再伝送に必要な情報を制御メッセージに含めて一つ以上の端末に伝送し、
前記一つ以上の端末にサービスを提供し、
前記一つ以上の端末からＮＡＣＫ信号を受信すると、前記初期制御メッセージに含まれた前記パケット再伝送に必要な情報を用いて、前記一つ以上の端末に前記ＮＡＣＫ信号に該当するパケットを再伝送すること
を含む、パケット再伝送方法。
【請求項９】
前記パケット再伝送に必要な情報は、
前記パケット再伝送のためのリソース割当領域情報、ＭＣＳ（Ｍｏｄｕｌａｔｉｏｎ  ａｎｄ  Ｃｏｄｉｎｇ  Ｓｃｈｅｍｅ）レベル情報及び伝送時点のうち一つ以上を含む、請求項８に記載のパケット再伝送方法。
【請求項１０】
基地局で前記ＮＡＣＫ信号を所定回数以上反復して受信した場合には、前記パケット再伝送に必要な情報を更新して前記パケット再伝送のための制御メッセージに含め、該記制御メッセージを前記一つ以上の端末に伝送することをさらに含む、請求項８に記載のパケット再伝送方法。
【請求項１１】
前記パケット再伝送に必要な情報は、
前記一つ以上の端末のそれぞれに前記パケット再伝送に必要な互いに異なるリソース割当領域を割り当てるための情報を含む、請求項８に記載のパケット再伝送方法。
【請求項１２】
前記パケット再伝送に必要な情報は、
前記一つ以上の端末のうち、互いに同一のリソース割当領域の大きさを有する端末を含む一つ以上のグループを構成し、前記一つ以上のグループに前記パケット再伝送に必要な資源割当領域をそれぞれ割り当てるための情報を含む、請求項８に記載のパケット再伝送方法。
【請求項１３】
前記パケット再伝送に必要な情報は、
前記一つ以上の端末の前記パケット再伝送のための再伝送専用チャネルを設定するための情報、及び前記再伝送専用チャネルにおける前記パケット再伝送に必要な特定領域に関する情報を含む、請求項８に記載のパケット再伝送方法。
【請求項１４】
前記再伝送パケットのための前記特定領域は、前記再伝送専用チャネルの一部領域である、請求項１３に記載のパケット再伝送方法。
【請求項１５】
前記初期制御メッセージは、
ＤＬ  ＭＡＰ（Ｄｏｗｎ−Ｌｉｎｋ  ＭＡＰ）メッセージまたはＭＡＣ管理メッセージである、請求項８に記載のパケット再伝送方法。
【発明の詳細な説明】
【技術分野】
【０００１】
本発明は、無線接続システムでデータ伝送方法に係り、特に、データ伝送方法において様々なパケット再伝送方法に関するものである。
【背景技術】
【０００２】
以下では、広帯域無線接続システムでＩＰベースの音声（Ｖｏｉｃｅ  ｏｖｅｒ  Ｉｎｔｅｒｎｅｔ  Ｐｒｏｔｏｃｏｌ；以下、“ＶｏＩＰ”という。）サービスを用いる端末からパケットを伝送する方法について説明する。そのために、まず、ＶｏＩＰトラフィックについて簡単に説明する。ただし、本発明に係るパケット伝送方法は、以下に説明するＶｏＩＰパケット伝送に限定される必要はない。
【０００３】
ＶｏＩＰトラフィックは、ＶｏＩＰコーデックで固定された周期を有する固定された大きさで生成される特徴を有する。また、ＶｏＩＰ通信は、ユーザ間に通話が進行される状態である会話区間（ｔａｌｋ−ｓｐｕｒｔ）とユーザが話さずに聞いている状態である沈黙区間（ｓｉｌｅｎｃｅ  ｐｅｒｉｏｄ）とに区分することができ、沈黙区間は、通常のコールセッション全体において５０％以上を占める。
【０００４】
したがって、会話区間と沈黙区間に互いに異なる量の帯域幅を割り当てるために様々な音声コーデックを使用する。その代表には、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）とＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）で使用している適応的多重レート手法（ＡＭＲ：  Ａｄａｐｔｉｖｅ  Ｍｕｌｔｉ−Ｒａｔｅ）がある。
【０００５】
沈黙区間では音声データが生成されないので、沈黙区間に帯域幅を割り当てることは、リソースの浪費になりうる。これを防止するために、ＶｏＩＰは沈黙抑制手法（ｓｉｌｅｎｃｅ  ｓｕｐｐｒｅｓｓｉｏｎ）を支援する。沈黙抑制手法によると、ＶｏＩＰトラフィックを生成するボコーダ（ｖｏｃｏｄｅｒ）は、沈黙期間にはトラフィックを生成せず、相手側のユーザに呼（ｃａｌｌ）が維持されていることを知らせるために周期的に確認雑音（ｃｏｍｆｏｒｔ  ｎｏｉｓｅ）を生成する。例えば、上述したＡＭＲコーデックを使用するボコーダは、会話区間で２０ｍｓ当たり一回ずつ固定された大きさのパケットを生成し、沈黙区間では１６０ｍｓごとに確認雑音を生成する。
【０００６】
一方、一般的にＶｏＩＰのように固定された大きさの一定の周期を有するトラフィックに対するリソース割当のために、基地局は、特定端末に指定された領域を固定的に割り当てる方法を使用することができる。すなわち、ＶｏＩＰサービスを支援する端末に、初期に定められた大きさの領域を割り当て、このように割り当てられた領域情報を、初期に伝送される制御チャネルまたは制御メッセージ（例えば、ＵＬ−ＭＡＰまたはＤＬ−ＭＡＰ）を通じて端末に知らせることができる。このように初期に伝送される制御チャネルまたは制御メッセージは、将来割り当てられる領域の周期情報も一緒に含むことができる。
【０００７】
その後、次の周期から、基地局は、初期に伝送した制御チャネルまたは制御メッセージを通じて端末に知らせた該当の領域を、特別な通知無しで引き続き割り当てることができる。これにより、端末は、初期にマップにより割り当てられた領域情報を用いて割り当てられた領域を通じてＶｏＩＰパケットを伝送し、周期情報を用いて次の周期から同じ領域を通じてＶｏＩＰパケットを伝送する。
【０００８】
一方、ＶｏＩＰサービスを考慮して、フレーム（ｆｒａｍｅ）の長さを５ｍｓにし、ＶｏＩＰパケットの伝送のために端末に割り当てられるフレーム周期を４フレームに設定した場合を取り上げる。ここで、端末にＶｏＩＰパケットの伝送のために割り当てられるフレームの周期は、サービスの特性によって異なってくることがある。特に、同一のＶｏＩＰサービスの場合であっても、システムの特性（例えば、フレームの長さによるシステム特性）及びＶｏＩＰサービスの状態（例えば、会話区間または沈黙区間）などのそれぞれの考慮要素にしたがって、ＶｏＩＰパケットの伝送のために割り当てられるフレーム周期が別々に定義されて使用されることができる。
【０００９】
基地局は、初期フレームで端末にＵＬ−ＭＡＰを通じてＶｏＩＰパケットの伝送のための割当領域情報を知らせ、この後、毎周期に該当する４番目のフレーム、８番目のフレームでは、ＵＬ−ＭＡＰを通じて領域情報を知らせずに単にＶｏＩＰパケットの伝送のための領域のみを割り当てる。
【００１０】
この時、ＶｏＩＰパケットの伝送のために割り当てられる周期は４フレーム（すなわち、２０ｍｓ）である。すなわち、端末は、初期フレームで受信したＵＬ−ＭＡＰに含まれた領域割当情報を記憶しており、割当周期に該当する４番目のフレーム、８番目のフレームで別のＵＬ−ＭＡＰ受信がなくても、該当の領域を通じてＶｏＩＰパケットを伝送することができる。このように、基地局は、ＶｏＩＰトラフィック特性の上、一つのＶｏＩＰ連結に対して固定的で持続的にリソースを割り当てることができる。
【００１１】
以下では、送信側と受信側のデータ伝送方法について簡略に説明する。データ伝送方法において、受信側は、伝送失敗が発生すると、該当のデータの再伝送要求をする。この場合に一般的に用いられるデータの再伝送手法にＡＲＱ（Ａｕｔｏｍａｔｉｃ  Ｒｅｐｅａｔ  Ｒｅｑｕｅｓｔ）方式がある。
【００１２】
ＡＲＱ方式とは、データ受信後に受信側でデータを確かに受信したか否かを受信肯定確認／受信否定確認（Ａｃｋｎｏｗｌｅｄｇｅｍｅｎｔ／Ｎｏｎ−Ａｃｋｎｏｗｌｅｄｇｍｅｎｔ；以下、“ＡＣＫ／ＮＡＣＫ”という。）信号を通じて送信側に知らせ、送信側は、ＮＡＣＫ信号受信時に該当の信号に対するデータを再伝送する方式である。ＡＲＱ方式には、ＳＡＷ（Ｓｔｏｐ−Ａｎｄ−Ｗａｉｔ）ＡＲＱ、ＧＢＮ（Ｇｏ−Ｂａｃｋ−Ｎ）ＡＲＱ、及びＳＲ（Ｓｅｌｅｃｔｉｖｅ−Ｒｅｐｅａｔ）ＡＲＱの３種類の方式がある。
【００１３】
ＳＡＷ  ＡＲＱ方式で、送信側は、データ伝送後にＡＣＫ信号またはＮＡＣＫ信号を受信するまで待つ。送信側は、ＡＣＫ信号を受信すると、新しい次のデータを伝送し、ＮＡＣＫ信号を受信すると、以前データを再伝送する方式である。すなわち、一度に一つのフレームのみを伝送する方式で、フレームが成功的に伝達されたことを確認した後に次のフレームを伝送する。
【００１４】
ＧＢＮ  ＡＲＱ方式は、応答メッセージにかかわらずにデータを継続して伝送する方式である。受信側でデータを受信する途中で特定フレームのデータを受信しなかった場合は、受信側ではこの特定フレームのＡＣＫ信号を送信側に伝送できない。送信側は、当該特定フレームに対するＡＣＫ信号を受信できず、この特定フレームのデータから再伝送を行う。
【００１５】
ＳＲ  ＡＲＱ方式は、データを継続して伝送しながらＮＡＣＫ信号を受信したデータのみを再伝送する方式である。受信側で特定フレームのデータを受信できなかった場合はＮＡＣＫ信号を送信側に伝送する。ＮＡＣＫ信号を受信した送信側は、当該ＮＡＣＫ信号が表すフレームのデータを受信側に再伝送し、データを全て伝送することができる。ＳＲ  ＡＲＱ方式は、フレームごとに順番を与えて管理しなければならず、相対的に具現が複雑になる不具合がある。
【００１６】
データをパケット（Ｐａｃｋｅｔ）形態で伝送する方式において、より高い速度のデータ率（Ｄａｔａ  Ｒａｔｅ）が要求されることに伴い、高速の伝送環境で発生するエラーを防止できるようなレベルのコーディング率（Ｃｏｄｉｎｇ  Ｒａｔｅ）や変調（Ｍｏｄｕｌａｔｉｏｎ）方法が通信システムに適用されることになった。そして、高速の伝送環境に好適なＡＲＱ方式、すなわち、Ｈｙｂｒｉｄ  ＡＲＱ（以下、ＨＡＲＱという）方式が提案された。
【００１７】
ＡＲＱ方式では、エラーが発生すると該当の情報を廃棄するが、ＨＡＲＱ方式では、受信側でエラーの生じた情報をバッファに記憶しておき、再伝送される情報と結合してＦＥＣ（Ｆｏｒｗａｒｄ  Ｅｒｒｏｒ  Ｃｏｒｒｅｃｔｉｏｎ）を適用する。すなわち、ＨＡＲＱ方式は、ＡＲＱ方式にＦＥＣを結合したものとすることができる。ＨＡＲＱは、大きく、下記のように４つの方式に分類される。
【００１８】
ＨＡＲＱ方式の第１方式で、受信側は常にデータに誤り検出符号（ｅｒｒｏｒ  ｄｅｔｅｃｔｉｏｎ  ｃｏｄｅ）を確認し、ＦＥＣを優先して適用する。受信側は、パケットに依然として誤りが残っていると送信側に再伝送を要求する。受信側は、誤りのあるパケットを捨て、送信側は、再伝送するパケットに、捨てられたパケットと同一のＦＥＣ符号を適用して伝送する。
【００１９】
ＨＡＲＱ方式の第２方式は、ＩＲ（Ｉｎｃｒｅｍｅｎｔａｌ  Ｒｅｄｕｎｄａｎｃｙ）ＡＲＱ方式と呼ばれる。ＨＡＲＱ方式の第２方式で、受信側は、最初に伝送されたパケットを捨てずにバッファに記憶しておき、再伝送された余分のビット（Ｒｅｄｕｎｄａｎｃｙ  ｂｉｔｓ）と結合する。送信側は、再伝送時にはデータビット（ｄａｔａ  ｂｉｔｓ）を除くパリティビット（ｐａｒｉｔｙ  ｂｉｔｓ）のみを再伝送する。送信側で再伝送するパリティビットは、再伝の度に異なるものを使用する。
【００２０】
ＨＡＲＱ方式の第３方式は、上記第２方式の特別な場合である。それぞれのパケットは自分のみで復号可能（Ｓｅｌｆ−ｄｅｃｏｄａｂｌｅ）である。送信側で再伝送する場合、送信側は、誤りの生じた部分とデータが両方とも含まれたパケットを一緒に構成して再伝送する。この方式は、ＨＡＲＱ方式の第２形態に比べてより正確な復号が可能であるが、コーディング利得（Ｃｏｄｉｎｇ  Ｇａｉｎ）側面では効率が落ちる。
【００２１】
ＨＡＲＱ方式の第４方式は、上記の第１方式の機能に、受信側で最初に受信したデータを記憶しておき、再伝送されたデータと結合する機能が追加されたものである。この第４方式のＨＡＲＱ方式は、行列結合（Ｍｅｔｒｉｃ  Ｃｏｍｂｉｎｉｎｇ）方式またはチェース結合（ｃｈａｓｅ  Ｃｏｍｂｉｎｉｎｇ）方式と呼ぶこともできる。ＨＡＲＱの第４方式は、ＳＩＮＲ（Ｓｉｇｎａｌ  ｔｏ  Ｉｎｔｅｒｆｅｒｅｎｃｅ  Ｎｏｉｓｅ  Ｒａｔｉｏ）面で有利であり、再伝送されるデータのパリティビットは常に同一のものとする。
【００２２】
以上のデータ再伝送方法により、データ伝送時に誤りが生じたりデータを失ったりした場合、本来のデータを復旧可能になった。
【発明の概要】
【発明が解決しようとする課題】
【００２３】
ＶｏＩＰのように頻繁なパケットの送受信が必要な場合には、送受信するパケットに誤りが発生する可能性が高くなり、それだけに、再伝送のための新しいリソース領域などを割り当てるための制御メッセージを伝送する回数も増加し、ＭＡＣ層でオーバーヘッドが大きくなるという問題点があった。
【００２４】
本発明は、一般に用いられる技術の問題点を解決するために案出されたもので、その目的は、効率的なデータ伝送方法を提供することにある。
【００２５】
本発明の他の目的は、パケットの再伝送が頻繁に必要な場合に制御メッセージのオーバーヘッドを減らすための方法を提供することにある。
【００２６】
本発明のさらに他の目的は、持続的に伝送するＶｏＩＰパケットなどに対して誤りの生じたパケットを再伝送する時に発生するオーバーヘッドを減らすための方法を提供することにある。
【００２７】
本発明のさらに他の目的は、一つ以上の移動端末に再伝送領域を割り当てる方法を提供することによって、複数の移動端末にＶｏＩＰパケットを伝送する場合にもデータ処理の効率性を高めることにある。
【００２８】
本発明のさらに他の目的は、固定的な伝送領域を割り当てて再伝送パケットを伝送するにもかかわらず引き続き誤りが発生する場合、以前に割り当てた再伝送領域の代わりに新しい再伝送領域を割り当てる方法を提供することによって、データ処理の効率性を高めることにある。
【課題を解決するための手段】
【００２９】
本発明は、無線接続システムにおけるデータ伝送方法及びパケット再伝送方法に関するもので、頻繁なパケットの送受信が必要な場合、制御オーバーヘッドを減らして效率的にリソースを使用するための方法を開示する。
【００３０】
本発明の一実施形態として、無線接続システムでパケットを再伝送する方法は、パケット再伝送に必要な情報が含まれた初期制御メッセージを基地局から受信する段階と、前記基地局からサービスを受けるためのパケットを伝送する段階と、前記基地局からＮＡＣＫ信号を受信すると、前記初期制御メッセージに含まれた再伝送に必要な情報を用いて前記基地局に前記ＮＡＣＫ信号に該当する前記パケットを再伝送する段階と、を含む。
【００３１】
また、上記の本発明の一実施形態において、前記パケット再伝送に必要な情報は、一つ以上の端末のそれぞれに前記パケット再伝送に必要な互いに異なるリソース割当領域を割り当てるための情報を含むことができる。
【００３２】
また、上記の本発明の一実施形態において、前記パケット再伝送に必要な情報は、一つ以上の端末のうち、互いに同一のリソース割当領域の大きさを有する端末を含む一つ以上のグループを構成し、前記一つ以上のグループに前記パケット再伝送に必要な固定されたリソース割当領域をそれぞれ割り当てるための情報を含むことができる。
【００３３】
また、上記の本発明の一実施形態で、前記パケット再伝送に必要な情報は、一つ以上の端末の前記パケット再伝送のための再伝送専用チャネルを設定し、前記パケット再伝送に必要な前記再伝送専用チャネルの一部領域に関する情報を含むことができる。
【００３４】
本発明の他の実施形態として、無線接続システムにおいてパケットを再伝送する方法は、パケット再伝送に必要な情報を初期制御メッセージに含めて一つ以上の端末に伝送する段階と、前記一つ以上の端末にサービスを提供する段階と、前記一つ以上の端末から受信否定確認（ＮＡＣＫ）信号を受信すると、前記初期制御メッセージに含まれた再伝送に必要な情報を用いて前記一つ以上の端末に前記ＮＡＣＫ信号に該当するパケットを再伝送する段階と、を含む。
【００３５】
また、上記の本発明の他の実施形態では、基地局で前記ＮＡＣＫ信号を所定回数以上反復して受信した場合には、前記パケット再伝送に必要な情報を更新して前記パケット再伝送のための制御メッセージに含め、前記一つ以上の端末に前記制御メッセージを伝送する段階をさらに含むことができる。
【００３６】
上述の説明及び以下の詳細な説明は、本発明の好ましい実施例の一部に過ぎず、当該技術分野における通常の知識を有する者にとっては、本願発明の技術的特徴が反映された様々な実施例を、以下の本発明の詳細な説明から想到し且つ理解することができる。
【発明の効果】
【００３７】
本発明によれば、下記の効果が得られる。
【００３８】
第一、本発明の実施例によると、効率的なデータ通信を行うことができる。
【００３９】
第二、頻繁なパケットの再伝送が必要な場合に、必要な度に再伝送領域を割り当てずに、固定した再伝送領域を初期制御メッセージを通じて移動端末に割り当てることができる。すなわち、再伝送する必要が発生する場合、別の制御メッセージ無しで、既に割り当てられた再伝送領域を通じてパケットを再伝送することができる。したがって、パケットの再伝送時に別途の制御メッセージを伝送する必要がないため、無線リソースを節約でき、且つ、オーバーヘッドを減らすことができる。
【００４０】
第三、ＶｏＩＰサービスのような頻繁なパケットの送受信が必要な場合、本発明で提案した方法を用いると、誤りの生じたパケットを再伝送する時に発生するオーバーヘッドを減らすことができる。
【００４１】
第四、一つ以上の移動端末のそれぞれに再伝送領域を割り当てることによって、それら移動端末が再伝送を行う場合に、割り当てられたリソース領域を通じて速かにパケットを再伝送できるので、効率的なデータ処理が可能になる。
【００４２】
また、一つ以上の移動端末に対して同一の属性を有する移動端末どうしを一グループとし、グループ単位で再伝送領域を割り当てることによって、無線リソースを節約できる効果がある。また、多数の移動端末のための専用再伝送チャネルを割り当てることによって、より効率的な再伝送が可能になる。
【００４３】
第五、固定的な再伝送領域を割り当ててパケットを伝送するにもかかわらず引き続きパケットに誤りが発生する場合は、以前に割り当てた再伝送領域の代わりに新しい再伝送領域を割り当てるため、反復して発生する誤りに效果的に対処することができる。
【図面の簡単な説明】
【００４４】
【図１】下りリンクでＶｏｌＰパケットを伝送する時にＨＡＲＱを使用する実施例を示すフローチャートである。
【図２】上りリンクでＶｏｌＰパケットを伝送する時にＨＡＲＱを使用する実施例を示すフローチャートである。
【図３】本発明の一実施例による、基地局が移動端末に再伝送のための固定的な無線リソース領域を割り当てる方法を示す図である。
【図４】本発明の他の実施例による、基地局が移動端末に再伝送のための無線リソース領域を割り当てる方法を示す図である。
【図５】本発明のさらに他の実施例による、基地局が移動端末に再伝送のための無線リソース領域を割り当てる方法を示す図である。
【図６】本発明の一実施例による、下りリンクで持続的なＨＡＲＱ設定方法を用いて再伝送を行う場合のフローチャートである。
【図７】本発明の他の実施例による、上りリンクで持続的なＨＡＲＱ設定方法を用いて再伝送を行う場合のフローチャートである。
【図８】本発明のさらに他の実施例による、下りリンク及び上りリンクで持続的なＨＡＲＱ設定方法を用いて再伝送を行う場合におけるパケット誤り処理方法を示すフローチャートである。
【図９】本発明のさらに他の実施例による、下りリンク及び上りリンクで持続的なＨＡＲＱ設定方法を用いて再伝送を行う時、反復して誤りが検出される場合におけるパケット誤りを処理する方法を示すフローチャートである。
【図１０】本発明のさらに他の実施例による、上りリンクで基地局が一つ以上の移動端末とＶｏＩＰサービスを送受信する過程で再伝送を行う方法を示すフローチャートである。
【発明を実施するための形態】
【００４５】
上記の技術的課題を解決するために、本発明は、無線接続システムで効率的なデータ伝送方法及びパケット再伝送方法を開示する。また、頻繁なパケット送受信が必要な場合、ＭＡＣ層の制御オーバーヘッドを減らしてリソースを效率的に使用するためのパケット再伝送方法を開示する。
【００４６】
以下の実施例は、本発明の構成要素と特徴を所定形態に結合したものである。各構成要素または特徴は、別途の明示的な言及がない限り、選択的なものとして考慮できる。各構成要素または特徴は、他の構成要素や特徴と結合しない形態で実施可能である。また、一部の構成要素及び／または特徴を結合させて本発明の実施例を構成することもできる。本発明の実施例で説明される動作の順序は変更可能である。ある実施例の一部構成や特徴は他の実施例に含まれることができ、または、他の実施例の対応する構成または特徴に取って代わることもできる。
【００４７】
図面についての説明において、本発明の要旨を曖昧にさせうる手順または段階などは省略し、当業者のレベルで理解できる程度の手順または段階も省略する。
【００４８】
本明細書において本発明の実施例は基地局と端末間のデータ送受信関係を中心に説明される。ここで、基地局は、端末と直接通信を行うネットワークの終端ノード（ｔｅｒｍｉｎａｌ  ｎｏｄｅ）を意味する。本文書で、基地局により行われるとした特定動作は、場合によっては基地局の上位ノード（ｕｐｐｅｒ  ｎｏｄｅ）により行われることもできる。
【００４９】
すなわち、基地局を含む多数のネットワークノード（ｎｅｔｗｏｒｋ  ｎｏｄｅｓ）からなるネットワークで、端末との通信のために行われる様々な動作は、基地局または基地局以外の他のネットワークノードにより行われることもできる。ここで、‘基地局’は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語に代替可能である。また、‘移動端末（ＭＳ：  Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）または端末（Ｍｏｂｉｌｅ  Ｔｅｒｍｉｎａｌ）などの用語に代替可能である。
【００５０】
また、送信端は、データまたは音声サービスを伝送するノードを意味し、受信端は、データまたは音声サービスを受信するノードを意味する。したがって、上りリンクでは端末が送信端となり、基地局が受信端となることができる。同様に、下りリンクでは端末が受信端となり、基地局が送信端となることができる。
【００５１】
一方、本発明の移動端末には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００５２】
本発明の実施例は様々な手段を通じて具現することができる。例えば、本発明の実施例は、ハードウェア、ファームウェア（ｆｉｒｍｗａｒｅ）、ソフトウェアまたはそれらの結合などにより具現することができる。
【００５３】
ハードウェアによる具現の場合、本発明の実施例による方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００５４】
ファームウェアやソフトウェアによる具現の場合、本発明の実施例による方法は、以上で説明された機能または動作を行うモジュール、手順または関数などの形態で具現することができる。ソフトウェアコードはメモリユニットに記憶して、プロセッサにより駆動することができる。メモリユニットは、プロセッサ内部または外部に設けられ、公知の様々な手段によりプロセッサとデータを交換することができる。
【００５５】
本発明の実施例は、無線接続システム（例えば、ＩＥＥＥ  ８０２システム、３ＧＰＰシステム、３ＧＰＰ  ＬＴＥシステムまたは３ＧＰＰ２システム）のうち少なくとも一つに開示された文書によりサポートすることができる。特に、ＩＥＥＥ  ８０２．１６ｅ  Ｒｅｖ２＿Ｄ４（Ａｐｒｉｌ  ２００８）文書は、本発明の実施例を充実にサポートすることができる。
【００５６】
以下の説明で使われる特定用語は、本発明の理解を助けるために提供されたものであり、このような特定用語の使用は、本発明の技術的思想を逸脱しない範囲で他の形態に変更可能である。
【００５７】
以下では、頻繁なパケット再伝送が必要なサービスの中でもＶｏＩＰパケット伝送を好適な一例として説明する。
【００５８】
本発明の好ましい一実施例によれば、基地局は、ＶｏＩＰパケット伝送に対して持続的なリソース割当方法を設定する時、再伝送のための持続的なリソース割当情報を初期制御メッセージ（ｃｏｎｔｒｏｌ  ｍｅｓｓａｇｅ）に含めてあらかじめ移動端末に提供する。上りリンクでは、初期制御メッセージに含まれた再伝送のための情報に基づいて、移動端末が基地局に再伝送パケットなどを再伝送領域を通じて伝送することができる。下りリンクでは、基地局は、移動端末に提供した初期制御メッセージに含まれた再伝送のための情報に基づいて再伝送パケットを移動端末に伝送することができる。
【００５９】
この初期制御メッセージは、様々なシステムで使用されるものとすることができる。特に、ＩＥＥＥ  ８０２．１６システムでは、初期制御メッセージとして、ＭＡＰメッセージに含まれるＭＡＰＩＥ（ＭＡＰ  Ｉｎｆｏｒｍａｔｉｏｎ  Ｅｌｅｍｅｎｔ）やＭＡＣ管理メッセージ（ＭＡＣ  ｍａｎａｇｅｍｅｎｔ  ｍｅｓｓａｇｅ）などを使用することができる。
【００６０】
初期制御メッセージは、移動端末が基地局のネットワークに進入しながらハンドオーバーをする場合に、相互接続が設定される過程で用いられることができ、基地局と移動端末が新しいサービスを生成する時に最初に提供する制御メッセージでありうる。すなわち、最初のＶｏＩＰパケットを伝送するために割り当てる制御メッセージでありうる。また、沈黙区間（Ｓｉｌｅｎｃｅ  ｐｅｒｉｏｄ）の後に会話区間で再びサービスを提供する場合にも初期制御メッセージを用いることができる。もちろん、上述したメッセージ以外の他の制御メッセージを初期制御メッセージとして用いることもできる。
【００６１】
様々なＭＡＣ管理メッセージの一例として、ＤＳＡ−ＲＥＱ／ＲＳＰ（Ｄｙｎａｍｉｃ  Ｓｅｒｖｉｃｅ  Ａｄｄｉｔｉｏｎ  Ｒｅｑｕｅｓｔ／Ｒｅｓｐｏｎｓｅ）、ＵＣＤ（Ｕｐｌｉｎｋ  Ｃｈａｎｎｅｌ  Ｄｅｓｃｒｉｐｔｏｒ）／ＤＣＤ（Ｄｏｗｎｌｉｎｋ  Ｃｈａｎｎｅｌ  Ｄｅｓｃｒｉｐｔｏｒ）、ＳＢＣ−ＲＥＱ／ＲＳＰ（ＳＳ  Ｂａｓｉｃ  Ｃａｐａｂｉｌｉｔｙ  Ｒｅｑｕｅｓｔ／Ｒｅｓｐｏｎｓｅ）メッセージなどがある。また、これらのメッセージに限定されず、様々なＭＡＣ管理メッセージをシステム要求事項に応じて用いることができる。
【００６２】
すなわち、基地局は最初に移動端末にＶｏＩＰサービスを提供する場合に、ＤＬ−ＭＡＰ  ＩＥまたはＵＬ−ＭＡＰ  ＩＥなどのような下りリンク制御メッセージを用いて移動端末に再伝送に必要な情報を伝送することができる。また、基地局が移動端末に最初にＶｏＩＰサービスを提供する時に、基地局と移動端末が再伝送と関連した情報を交渉することができる。
【００６３】
再伝送に必要な情報は、再伝送のための固定されたリソース割当領域情報、ＭＣＳレベル（Ｍｏｄｕｌａｔｉｏｎ  ａｎｄ  Ｃｏｄｉｎｇ  Ｓｃｈｅｍｅ  ｌｅｖｅｌ）情報、再伝送時点（例えば、ＮＡＣＫ信号を受信した後に何番目のフレーム後に再伝送しなければならないかに関する情報）を含むことができる。
【００６４】
また、再伝送に必要な情報には、移動端末や基地局があらかじめ指定されたリソース割当領域を通じてパケットを送受信するにもかかわらず続いてＮＡＣＫ信号が発生する場合には、基地局は、所定回数のＮＡＣＫ信号を受信した後に新しい再伝送のための制御メッセージを移動端末に伝送して、新しい再伝送のための無線リソース領域を割り当てることができる。この所定回数のＮＡＣＫ信号は、システムの要求事項によって変わることができ、本発明の好ましい実施例では、ＮＡＣＫ信号を２回連続して受信した場合を例として説明する。
【００６５】
以下に説明する本発明の好ましい実施例で、再伝送のためにあらかじめ割り当てた領域は、再伝送が発生した場合にのみ使用し、再伝送をする必要がない場合には他の一般メッセージを伝送するために使用することができる。これは、余計に固定的な特定領域を確保することから生じうる無線リソースの浪費を減らすためである。
【００６６】
基地局と移動端末とがＶｏＩＰパケットを送受信する過程で、下りリンクに対して再伝送が発生すると、基地局は、あらかじめ指定されたリソース領域で再伝送パケットを伝送し、端末は、あらかじめ指定された再伝送のための領域に関する情報に基づいてパケットを受信することができる。
【００６７】
もし、上りリンクに対して再伝送が発生すると、移動端末は、基地局からあらかじめ割り当てられたリソース領域を通じて再伝送パケットを伝送し、基地局は、あらかじめ指定された領域を通じてパケットを受信することができる。すなわち、再伝送をしたパケットに誤りが発生すると、初期再伝送と同じ方法（ＮＡＣＫを受信した後に、特定フレームの初期に割り当てられた領域を用いる方法）を用いて再伝送を行う、または、基地局が再伝送のための領域情報を用いて再伝送を行う時に、制御メッセージを用いて誤り発生を移動端末に知らせることができる。
【００６８】
本発明の好ましい実施例で、パケットに誤りが発生したということは、送受信するパケット自体に誤りが発生した場合だけでなく、有無線上でパケットが失われて、移動端末や基地局でこれを受信できない場合を含み、その他移動端末や基地局で本来のパケットを復元できないあらゆる場合を含む概念である。
【００６９】
以下では、ＭＡＣ層で用いられる再伝送方法について説明する。
【００７０】
図１は、下りリンクでＶｏｌＰパケットを伝送する時にＨＡＲＱを使用する実施例を示すフローチャートである。
【００７１】
図１を参照すると、基地局（ＢＳ：  Ｂａｓｅ  Ｓｔａｔｉｏｎ）から移動端末（ＭＳ：  Ｍｏｂｉｌｅ  Ｓｔａｔｉｏｎ）にＶｏＩＰサービスを提供するためにＶｏＩＰパケットを伝送する方法がわかる。基地局ＢＳで下りリンクでＤＬ  ＶｏＩＰ  ｐａｃｋｅｔ  ＃１を伝送する時に誤りが発生したり、このパケットを有無線上で失い、移動端末で受信できない場合が発生すると（Ｓ１０１）、移動端末は、ＮＡＣＫ信号を基地局に伝送する（Ｓ１０２）。
【００７２】
この時、基地局は、上記Ｓ１０１段階で端末に伝送したＤＬ  ＶｏＩＰ  ｐａｃｋｅｔ  ＃１を再伝送するために、再伝送のための制御メッセージに新しいＭＣＳレベル（Ｍｏｄｕｌａｔｉｏｎ  ａｎｄ  Ｃｏｄｉｎｇ  Ｓｃｈｅｍｅ  ｌｅｖｅｌ）及び新しいリソース割当領域情報を含めて移動端末に伝送する（Ｓ１０３）。
【００７３】
移動端末に制御メッセージを伝送することによって新しいリソース領域を割り当てた基地局は、これを通じて移動端末にＤＬ  ＶｏＩＰ  ｐａｃｋｅｔ  ＃１を再伝送する（Ｓ１０４）。上記Ｓ１０４段階で移動端末が正常にパケットを受信すると、移動端末は基地局にＡＣＫ信号を伝送する（Ｓ１０５）。
【００７４】
基地局は、持続的なＶｏＩＰサービスを提供するために、次のＶｏＩＰパケットであるＤＬ  ＶｏＩＰ  ｐａｃｋｅｔ  ＃２を移動端末に伝送する。しかし、ＤＬ  ＶｏＩＰ  ｐａｃｋｅｔ  ＃２に誤りが生じたり、有無線上で失われたりした場合、移動端末は正常にパケットを受信できない（Ｓ１０６）。ＶｏＩＰパケットを正常に受信できなかった移動端末は、基地局にＮＡＣＫ信号を伝送する（Ｓ１０７）。
【００７５】
上記Ｓ１０７段階で移動端末からＮＡＣＫ信号を受信した基地局は、再伝送のための制御メッセージにＭＣＳレベル及びリソース割当領域情報を含めて移動端末に伝送する（Ｓ１０８）。上記Ｓ１０８段階で、移動端末は、再伝送のための制御メッセージに含まれた情報を用いて割り当てられた新しいリソース領域を通じてデータを受信することができる。
【００７６】
基地局は、移動端末に割り当てた新しいリソース領域を通じて、上記Ｓ１０７段階で受信したＮＡＣＫ信号に該当するパケットであるＤＬ  ＶｏＩＰ  ｐａｃｋｅｔ  ＃２を移動端末に再伝送する（Ｓ１０９）。
【００７７】
図２は、上りリンクでＶｏｌＰパケットを伝送する時にＨＡＲＱを使用する実施例を示すフローチャートである。
【００７８】
図２を参照すると、移動端末ＭＳから基地局ＢＳに上りリンクＶｏＩＰパケットを伝送する方法がわかる。移動端末ＭＳから上りリンクでＵＬ  ＶｏＩＰ  ｐａｃｋｅｔ  ＃１を伝送する時に誤りが発生したり、有無線上で失われたりして基地局で受信できない場合が発生すると（Ｓ２０１）、基地局は、ＮＡＣＫ信号を移動端末に伝送する（Ｓ２０２）。
【００７９】
なお、基地局は、上記Ｓ２０１段階で誤りの生じたＵＬ  ＶｏＩＰ  ｐａｃｋｅｔ  ＃１を再び受信するために、再伝送のための制御メッセージに新しいＭＣＳレベル及び新しいリソース割当領域情報を含めて移動端末に伝送する（Ｓ２０３）。
【００８０】
移動端末は、基地局から再伝送のための制御メッセージを受信することによって新しいリソース領域が割り当てられ、この領域を通じて移動端末は基地局にＵＬ  ＶｏＩＰ  ｐａｃｋｅｔ  ＃１を再伝送する（Ｓ２０４）。上記Ｓ２０４段階で基地局が正常にパケットを受信すると、基地局は移動端末にＡＣＫ信号を伝送する（Ｓ２０５）。
【００８１】
移動端末は、持続的なＶｏＩＰサービスのために、次のＶｏＩＰパケットであるＵＬ  ＶｏＩＰ  ｐａｃｋｅｔ  ＃２を基地局に伝送する。しかし、ＵＬ  ＶｏＩＰ  ｐａｃｋｅｔ  ＃２に誤りがあったり、有無線上で失われたりすると、基地局が正常にパケットを受信できない場合が発生しうる（Ｓ２０６）。ＶｏＩＰパケットを正常に受信できなかった基地局は、移動端末にＮＡＣＫ信号を伝送する（Ｓ２０７）。
【００８２】
上記Ｓ２０７段階で移動端末にＮＡＣＫ信号を伝送した基地局は、再伝送のための制御メッセージに、上記Ｓ２０３段階で提供した情報とは異なるＭＣＳレベル及びリソース割当領域情報を含めて移動端末に伝送する（Ｓ２０８）。上記Ｓ２０８段階で移動端末は再伝送のための制御メッセージに含まれた情報を用いて割り当てられた新しいリソース領域を用いてデータを伝送することができる。
【００８３】
移動端末は、基地局から割り当てられた新しいリソース領域を通じて、上記Ｓ２０７段階で受信したＮＡＣＫ信号に該当するパケットであるＵＬ  ＶｏＩＰ  ｐａｃｋｅｔ  ＃２を基地局に再伝送する（Ｓ２０９）。
【００８４】
図１及び図２に示すように、基地局や移動端末が、誤りの生じたパケットに対して再伝送を行うために、誤りが発生する度に、基地局は、再伝送のための新しいリソース割当領域情報（またはＭＣＳレベル情報）を含む制御メッセージ（例えば、ＭＡＰ  ＩＥ）を反復して移動端末に伝送する。
【００８５】
図３は、本発明の一実施例による、基地局が移動端末に再伝送のための固定的な無線リソース領域を割り当てる方法を示す図である。
【００８６】
図３で、横軸はフレーム単位として時間単位を表し、縦軸は周波数単位を表す。フレーム１及びフレーム５で、Ｐ１は、下りリンクでは持続的なＶｏＩＰパケットの伝送のために、上りリンクでは第１移動端末からＶｏＩＰパケットを受信するために、基地局が第１移動端末に割り当てた領域を表す。また、Ｐ２は第２移動端末、Ｐ３は第３移動端末、Ｐ４は第４移動端末のためにそれぞれ割り当てられた無線リソース領域を表す。
【００８７】
図３を参照すると、基地局は、再伝送のための領域を、ＶｏＩＰ連結を有するそれぞれの移動端末に一つずつ区別して割り当てる。下りリンクでは、基地局が、割り当てられた領域を通じて移動端末にＶｏＩＰパケットを伝送し、上りリンクでは移動端末が、割り当てられた領域を通じて基地局にＶｏＩＰパケットを伝送する。すなわち、第１移動端末はＰ１を通じて基地局とＶｏＩＰパケットを送受信し、他の移動端末もそれぞれ割り当てられた領域を通じてＶｏＩＰパケットを基地局と送受信する。
【００８８】
フレーム３及びフレーム７で、Ｒ１はＰ１に、Ｒ２はＰ２に、Ｒ３はＰ３に、Ｒ４はＰ４にそれぞれ対応して再伝送のために割り当てられた領域を表す。基地局は、初期制御メッセージに再伝送のための情報を含めてそれぞれの移動端末に伝送することができる。したがって、再伝送が発生する場合、基地局及び移動端末は、あらかじめ設定した再伝送領域を通じて再伝送するパケットを送受信することができる。すなわち、基地局及び移動端末がそれぞれＰ１、Ｐ２、Ｐ３及びＰ４を通じて送受信したＶｏＩＰパケットに誤りが発生した場合、基地局及び移動端末は、あらかじめ割り当てられた無線リソース領域であるＲ１、Ｒ２、Ｒ３及びＲ４を通じて再伝送パケットを送受信することができる。
【００８９】
しかし、第１〜第４移動端末が基地局とパケットを送受信する過程で誤りが発生しないにもかかわらず、再伝送のためにあらかじめ割り当てられた領域を維持し続くと、無線リソースの浪費になりうる。したがって、再伝送が必要でない場合は、再伝送のためにあらかじめ割り当てられた領域を、基地局とそれぞれの移動端末の他のパケットを伝送するために使用することができる。このような約束は、基地局と移動端末が最初に相互接続をしたり、最初にサービスを受ける時に互いに交渉過程を通じて設定することができる。
【００９０】
図４は、本発明の他の実施例による、基地局が移動端末に再伝送のための無線リソース領域を割り当てる方法を示す図である。
【００９１】
図４で、横軸はフレーム単位として時間単位を表し、縦軸は周波数単位を表す。フレーム１及びフレーム５で、Ｐ１は、下りリンクでは持続的に移動端末にＶｏＩＰパケットを伝送するために、上りリンクでは第１移動端末からＶｏＩＰパケットを受信するために、基地局が第１移動端末に割り当てた領域を表す。また、Ｐ２は、第２移動端末、Ｐ３は第３移動端末、Ｐ４は第４移動端末のためにそれぞれ基地局から割り当てられた無線リソース領域を表す。
【００９２】
図４を参照すると、下りリンクでは基地局が割り当てられた領域を通じて移動端末にＶｏＩＰパケットを伝送し、上りリンクでは移動端末が割り当てられた領域を通じて基地局にＶｏＩＰパケットを伝送する。すなわち、第１移動端末はＰ１を通じて基地局とＶｏＩＰパケットを送受信し、その他の移動端末もそれぞれ割り当てられた領域を通じてＶｏＩＰパケットを基地局と送受信することができる。
【００９３】
図４において、基本的に、ＶｏＩＰパケットを送受信するために移動端末に割り当てられる領域は、図３のそれと同一にし、ただし、再伝送領域の割り当てることにおいて相違している。基地局は、同一の属性（例えば、パケット伝送のために割り当てられたリソース領域の大きさが同一である）を有する端末同士を一グループにし、グループ単位に一つの再伝送のための無線リソースを割り当てることができる。すなわち、基地局が再伝送領域を構成する場合、同一のフレームで同一のリソース割当領域大きさを有する移動端末同士を一つ以上のグループにした後、再伝送のためのリソース割当領域は、それぞれのグループ別に割り当てることができる。
【００９４】
図４を参照すると、第１移動端末及び第２移動端末に割り当てられた無線リソース領域の大きさが同一なので、これらを一つのグループにし、第３移動端末及び第４移動端末に割り当てられた無線リソース領域の大きさが同一なので、他のグループにすることができる。したがって、フレーム３及び７で、第１移動端末及び第２移動端末の再伝送領域としてはＲ１（Ｐ１及びＰ２領域の再伝送のために割り当てられた再伝送領域）が割り当てられ、第３及び第４移動端末の再伝送領域としてはＲ２（Ｐ３及びＰ４領域の再伝送のために割り当てられた再伝送領域）が割り当てられる。
【００９５】
本発明の他の実施例で、もし、同一の再伝送領域が割り当てられた全ての移動端末で再伝送が発生した場合、同一の再伝送領域を用いてＶｏＩＰパケットを送受信すると、互いに衝突が発生し、再伝送パケットも正常に送受信できなくなる問題点が生じうる。したがって、このような場合には、一つの移動端末には、既に割り当てられた再伝送領域を使用し続けるようにし、他の移動端末には、既に割り当てられた再伝送領域ではなく、別の領域を再伝送のために割り当てる必要がある。
【００９６】
例えば、上りリンクでＰ１及びＰ２を通じて第１及び第２移動端末がＶｏＩＰパケットを基地局に伝送したとする。この時、基地局では、Ｐ１及びＰ２を通じて受信したＶｏＩＰパケットの両方に誤りが発生した場合は、それらの移動端末にＮＡＣＫ信号を伝送して、該当のパケットの再伝送を要請する。各移動端末がＮＡＣＫ信号を受信し、初期制御メッセージを通じて基地局からあらかじめ割り当てられた固定された再伝送領域であるＲ１を通じて同時に再伝送パケットを伝送すると、これら再伝送パケットが互いに衝突する場合が生じうる。
【００９７】
したがって、グループ別に再伝送領域を割り当て、同一のグループに属する移動端末に同時に誤りが発生した場合には、基地局は新しい再伝送領域を割り当てる必要がある。
【００９８】
すなわち、第１移動端末は初期制御メッセージを通じて割り当てられた再伝送領域であるＲ１を通じてパケットを再伝送するようにし、第２移動端末には付加的に再伝送のための制御メッセージを伝送して、Ｒ１ではなく他の再伝送のための無線リソース領域を割り当てることで、相互衝突を避けるように制御することができる。
【００９９】
図５は、本発明のさらに他の実施例による、基地局が移動端末に再伝送のための無線リソース領域を割り当てる方法を示す図である。
【０１００】
図５で、横軸はフレーム単位として時間単位を表し、縦軸は周波数単位を表す。フレーム１及びフレーム５で、Ｐ１は、下りリンクでは持続的に移動端末にＶｏＩＰパケットを伝送するために、上りリンクでは第１移動端末からＶｏＩＰパケットを受信するために、基地局が第１移動端末に割り当てた領域を表す。Ｐ２は第２移動端末、Ｐ３は第３移動端末、Ｐ４は第４移動端末のためにそれぞれ基地局から割り当てられた無線リソース領域を表す。
【０１０１】
図５を参照すると、下りリンクでは基地局が割り当てられた領域を通じて移動端末にＶｏＩＰパケットを伝送し、上りリンクでは移動端末が割り当てられた領域を通じて基地局にＶｏＩＰパケットを伝送することができる。すなわち、第１移動端末は、Ｐ１を通じて基地局とＶｏＩＰパケットを送受信し、その他の移動端末もそれぞれ割り当てられた領域を通じてＶｏＩＰパケットを基地局と送受信することができる。
【０１０２】
図５で、基地局がそれぞれの移動端末に無線リソース領域を割り当ててＶｏＩＰパケットを送受信することは、図３及び図４におけると同様である。
【０１０３】
ただし、それぞれの移動端末に別々に再伝送領域を割り当てずに、再伝送のための共有再伝送チャネル（Ｃｏｍｍｏｎ  ＲｅＴｘ  ｃｈａｎｎｅｌ）を設定し、再伝送発生時に全てこの共有再伝送チャネルを用いて再伝送を行うようにする点が異なる。すなわち、ＶｏＩＰパケット再伝送のために使用できるリソース領域である共有再伝送チャネルを定めておき、再伝送発生時にこれを使用することができる。
【０１０４】
例えば、ＶｏＩＰ下りリンクで２個以上の移動端末に対して再伝送が発生した場合、基地局は、いずれか一方の移動端末を選択した後に、共有再伝送チャネルを通じて選択した移動端末にパケットを再伝送するようにする。基地局は、選択されなかった移動端末に、同一フレームで指定されたリソース領域を割り当て、再伝送過程を行うようにする。
【０１０５】
上りリンクで２個以上の移動端末に対して再伝送が発生した場合には、基地局は、同一のフレームで一つの移動端末のみ共有チャネルを通じて再伝送パケットを伝送できるように指定した上で各移動端末に知らせる。基地局は、選択されなかった移動端末が再伝送を行えるように、同一のフレームで再伝送のための別の領域を割り当てることができる。
【０１０６】
図５を参照すると、同一フレームでＶｏＩＰパケットを伝送する移動端末は、再伝送のために共用再伝送チャネルを使用する。Ｒ１は、Ｐ１及びＰ２の再伝送のために共用再伝送チャネルの一部を割り当てたリソース領域を表し、Ｒ２は、Ｐ３及びＰ４の再伝送のために共用再伝送チャネルを割り当てたリソース領域を表す。Ｒ２の領域は、Ｒ１の領域を含むことができる。
【０１０７】
もし、上りリンクで一つ以上の端末で再伝送が発生した場合は、一つ以上の移動端末が同一の再伝送領域を通じて再伝送を行うと相互衝突が生じうる。したがって、同一の再伝送チャネルを使用する場合に多数の移動端末に再伝送が発生すると、一つの移動端末のみ共用再伝送チャネルを用いて再伝送過程（下りリンクでは基地局から移動端末へ、上りリンクでは移動端末から基地局へ再伝送）を行い、残りの移動端末にはそれぞれリソース領域を割り当てて、再伝送過程を行うようにすることができる。
【０１０８】
共用再伝送チャネルを用いて再伝送を行う場合にも、共用再伝送チャネルのうち使用しない領域は、他のパケットの伝送のために使用することができる。例えば、Ｒ１領域を用いて再伝送が行われる場合、基地局は、Ｒ２領域のうち、Ｒ１領域以外の他の領域を用いてＶｏＩＰパケットを送受信することができる。
【０１０９】
図３〜図５で再伝送のためのリソース割当は、初期伝送と同じ領域を使用してもよく、別の領域を使用しても良い。もし、初期伝送と同じ領域を使用する場合は、リソース割当領域情報を別に知らせる必要がなく、以前に割り当てられた領域と同じリソース領域を通じてパケットを伝送すればよい。
【０１１０】
図６は、本発明の一実施例による、下りリンクで持続的なＨＡＲＱ設定方法を用いて再伝送を行う場合を示すフローチャートである。
【０１１１】
図６を参照すると、基地局は、再伝送のための制御メッセージを用いて移動端末に再伝送のための情報を伝達する（Ｓ６０１）。
【０１１２】
Ｓ６０１段階で、再伝送のための制御メッセージは、特定ＵＬ／ＤＬ−ＭＡＰ  ＩＥまたはＤＳＡ−ＲＥＱ／ＲＳＰメッセージであり、システムの要求事項によって他のＭＡＣ管理メッセージにすることもできる。また、再伝送のための情報には、固定されたリソース割当領域に関する情報及びＭＡＣレベル情報または伝送時点（例えば、ＮＡＣＫを受信してから何番目のフレーム後に再伝送をするかに関する情報）を含むことができる。
【０１１３】
また、再伝送のための固定的な無線リソース領域を割り当てる方法は、図３〜図５で説明した方法を用いると好ましい。本発明の一実施例では、一つの移動端末と基地局が通信する場合を仮定するが、一つ以上の移動端末と基地局が通信を行う場合には、図３〜図５の方法を用いて再伝送のための無線リソース領域を割り当てることができる。
【０１１４】
図６を参照すると、基地局は、ＶｏＩＰサービス提供のために、移動端末にＤＬ  ＶｏＩＰ  ｐａｃｋｅｔ  ＃１を伝送する。ただし、ＤＬ  ＶｏＩＰ  ｐａｃｋｅｔ  ＃１に誤りが発生し、移動端末でそれを復元できない場合が発生しうる（Ｓ６０２）。
【０１１５】
この時、移動端末は基地局にＮＡＣＫ信号を伝送して、誤りが発生したことを知らせることができる（Ｓ６０３）。
【０１１６】
ＮＡＣＫ信号を受信した基地局は、他の付加情報無しで、移動端末とＳ６０１段階であらかじめ交渉したリソース割当領域などに関する情報を用いて、再伝送のために割り当てられた領域を通じて移動端末にＤＬ  ＶｏＩＰ  ｐａｃｋｅｔ  ＃１を再伝送する（Ｓ６０４）。この時、移動端末は、あらかじめ指定された再伝送のために割り当てられた領域を通じて基地局からＶｏＩＰパケットを受信することができる。
【０１１７】
ＶｏＩＰパケットを正常に受信した移動端末は、基地局に受信肯定確認（ＡＣＫ）信号を伝送する（Ｓ６０５）。
【０１１８】
基地局は、持続的なＶｏＩＰサービスを提供するためにＤＬ  ＶｏＩＰ  ｐａｃｋｅｔ  ＃２を移動端末に伝送する（Ｓ６０６）。
【０１１９】
ただし、Ｓ６０６段階で伝送したＤＬ  ＶｏＩＰ  ｐａｃｋｅｔ  ＃２に誤りが発生したり有無線上で失われたりした場合には、移動端末がそれを正常に受信することができない。したがって、移動端末は基地局にＮＡＣＫ信号を伝送する（Ｓ６０７）。
【０１２０】
ＮＡＣＫ信号を受信した基地局は、再伝送のための制御メッセージに含まれたリソース割当領域に関する情報及びＭＣＳレベルまたは再伝送時点に関する情報などに基づいてＤＬ  ＶｏＩＰ  ｐａｃｋｅｔ  ＃２を再伝送する（Ｓ６０８）。
【０１２１】
図７は、本発明の他の実施例による、上りリンクで持続的なＨＡＲＱ設定方法を用いて再伝送を行う場合を示すフローチャートである。
【０１２２】
図７を参照すると、基地局は、再伝送のための初期制御メッセージを用いて移動端末に再伝送のためのリソース割当領域などに関する情報を伝達することができる（Ｓ７０１）。
【０１２３】
Ｓ７０１段階で、再伝送のための制御メッセージは、特定ＵＬ／ＤＬ−ＭＡＰ  ＩＥまたはＤＳＡ−ＲＥＱ／ＲＳＰメッセージであっても良く、システムの要求事項によって別のＭＡＣ管理メッセージとしても良い。また、再伝送のための情報には、固定されたリソース割当領域に関する情報及びＭＡＣレベル情報または伝送時点（例えば、ＮＡＣＫを受信した後に何番目のフレーム後に再伝送をするかに関する情報）を含むことができる。
【０１２４】
また、再伝送のための固定的な無線リソース領域を割り当てる方法は、図３乃至図５で説明した方法を用いると好ましい。本発明の他の実施例では、一つの移動端末と基地局が通信する場合を仮定するが、一つ以上の移動端末と基地局が通信を行う場合には、図３乃至図５の方法を用いて再伝送のための無線リソース領域を割り当てることができる。
【０１２５】
図７を参照すると、移動端末は、ＶｏＩＰパケットの伝送のために基地局にＵＬ  ＶｏＩＰ  ｐａｃｋｅｔ  ＃１を伝送する。ただし、ＵＬ  ＶｏＩＰ  ｐａｃｋｅｔ  ＃１に誤りが発生し、基地局でこれを復元できない場合が生じうる（Ｓ７０２）。
【０１２６】
この時、基地局は移動端末にＮＡＣＫ信号を伝送して、誤りが発生したことを知らせることができる（Ｓ７０３）。
【０１２７】
ＮＡＣＫ信号を受信した移動端末は、他の付加情報無しで、Ｓ７０１段階で基地局とあらかじめ交渉したリソース割当領域などに関する情報を用いて、再伝送のために割り当てられた領域を通じて基地局にＵＬ  ＶｏＩＰ  ｐａｃｋｅｔ  ＃１を再伝送する（Ｓ７０４）。この時、基地局は、あらかじめ指定された再伝送のために割り当てられた領域を通じて移動端末からＶｏＩＰパケットを受信することができる。
【０１２８】
ＶｏＩＰパケットを正常に受信した基地局は、移動端末に受信肯定確認（ＡＣＫ）信号を伝送する（Ｓ７０５）。
【０１２９】
移動端末は、持続的なＶｏＩＰサービスためにＵＬ  ＶｏＩＰ  ｐａｃｋｅｔ  ＃２を基地局に伝送する（Ｓ７０６）。
【０１３０】
ただし、Ｓ７０６段階で伝送したＵＬ  ＶｏＩＰ  ｐａｃｋｅｔ  ＃２に誤りが発生したり有無線上で失われたりした場合には、基地局がそれを正常に受信することができない。したがって、基地局は移動端末にＮＡＣＫ信号を伝送する（Ｓ７０７）。
【０１３１】
ＮＡＣＫ信号を受信した移動端末は、再伝送のための制御メッセージに含まれたリソース割当領域に関する情報及びＭＣＳレベルまたは再伝送時点に関する情報などに基づいてＵＬ  ＶｏＩＰ  ｐａｃｋｅｔ  ＃２を再伝送する（Ｓ７０８）。
【０１３２】
図６及び図７で、移動端末と基地局はＶｏＩＰサービスのように頻繁なパケットの送受信が必要な場合、基地局は、あらかじめ再伝送のために固定されたリソース割当領域を設定し、それを初期制御メッセージを通じて移動端末に伝送することができる。したがって、再伝送が必要な度に再伝送のために制御メッセージを送受信しなくても、あらかじめ指定された領域を通じて直ちに再伝送をすることができ、效率的にデータパケットを伝送することができる。また、基地局が、再伝送が必要な度に移動端末に制御メッセージを伝送する必要がないため、ＭＡＣ層におけるオーバーヘッドを減らすことができる。
【０１３３】
図８は、本発明のさらに他の実施例による、下りリンク及び上りリンクで持続的なＨＡＲＱ設定方法を用いて再伝送を行う時におけるパケット誤り処理方法を示すフローチャートである。
【０１３４】
図８を参照すると、基地局は、再伝送のための制御メッセージを用いて移動端末に再伝送のためのリソース割当領域などに関する情報を伝達する（Ｓ８０１）。
【０１３５】
Ｓ８０１段階で、再伝送のための制御メッセージは、特定ＵＬ／ＤＬ−ＭＡＰ  ＩＥまたはＤＳＡ−ＲＥＱ／ＲＳＰメッセージであっても良く、システムの要求事項によって別のＭＡＣ管理メッセージにしても良い。また、再伝送のための情報には、固定されたリソース割当領域に関する情報及びＭＡＣレベル情報または伝送時点（例えば、ＮＡＣＫを受信した後に何番目のフレーム後に再伝送をするかに関する情報）を含むことができる。
【０１３６】
また、再伝送のための固定的な無線リソース領域を割り当てる方法は、図３乃至図５で説明した方法を用いると好ましい。本発明のさらに他の実施例では、一つの移動端末と基地局が通信する場合を仮定するが、一つ以上の移動端末と基地局が通信を行う場合には、図３乃至図５の方法を用いて再伝送のための無線リソース領域を割り当てることができる。
【０１３７】
図８を参照すると、基地局と移動端末がＶｏＩＰサービスを送受信する場合に、ＶｏＩＰパケットを再伝送する場合がよく発生する。図８で、基地局が移動端末に下りリンクパケットであるＤＬ  ＶｏＩＰ  ｐａｃｋｅｔ  ＃１を伝送したものの、誤りが発生したし、再びＤＬ  ＶｏＩＰ  ｐａｃｋｅｔ  ＃１を、初期制御メッセージに含まれたリソース割当領域情報を用いてあらかじめ指定されたリソース領域を通じて移動端末に伝送した。しかし、再伝送したＤＬ  ＶｏＩＰ  ｐａｃｋｅｔ  ＃１に誤りがあったりまたは有無線上で損失されたりして移動端末が正常に受信できなかった場合が生じうる（Ｓ８０２）。
【０１３８】
Ｓ８０２段階のような場合が発生すると、移動端末は基地局にＮＡＣＫ信号を伝送して、正常にパケットを受信できなかったことを知らせる（Ｓ８０３）。
【０１３９】
ＮＡＣＫ信号を受信した基地局は、初期制御メッセージに含まれた再伝送のために設定した情報を用いて再びＤＬ  ＶｏＩＰ  ｐａｃｋｅｔ  ＃１を移動端末に再伝送する（Ｓ８０４）。
【０１４０】
移動端末と基地局が続けてＶｏＩＰサービスを行う間に、移動端末から基地局へＶｏＩＰパケットを伝送する上りリンク通信が行なわれることができる。
【０１４１】
移動端末が基地局にＵＬ  ＶｏＩＰ  ｐａｃｋｅｔ  ＃１を伝送する過程で、ＵＬ  ＶｏＩＰ  ｐａｃｋｅｔ  ＃１を再伝送する場合が生じうる。この時、ＵＬ  ＶｏＩＰ  ｐａｃｋｅｔ  ＃１を再伝送した場合にも、再伝送したパケットに再び誤りが生じうる（Ｓ８０５）。
【０１４２】
このような場合には、基地局は、ＮＡＣＫ信号を移動端末に再び伝送して、移動端末から伝送された上りリンクパケットに誤りが発生したことを知らせる（Ｓ８０６）。
【０１４３】
ＮＡＣＫ信号を受信した移動端末は、初期制御メッセージに含まれた再伝送のためのリソース割当領域情報などを用いて基地局にＵＬ  ＶｏＩＰ  ｐａｃｋｅｔ  ＃１を再伝送することができる。
【０１４４】
図８では、基地局が移動端末にＶｏＩＰサービスを提供する過程で上りリンクまたは下りリンクで再伝送をしたＶｏＩＰパケットに誤りが発生した場合を説明した。図８では、再伝送をしたＶｏＩＰパケットに誤りが発生し続いても、初期制御メッセージを通じて割り当てられた再伝送領域を引き続き使用する場合を示す。
【０１４５】
しかし、初期に設定した再伝送領域が移動端末の通信環境に適合しない場合がありうる。このような場合には、誤りが発生し続くチャネルの代わりに新しい再伝送領域を割り当て、新しい再伝送領域を通じてパケットを送受信することが、データ処理効率面でより有利になりうる。
【０１４６】
図９は、本発明のさらに他の実施例による、下りリンク及び上りリンクで持続的なＨＡＲＱ設定方法を用いて再伝送を行う時に、反復して誤りが検出される場合におけるパケット誤りを処理する方法を示すフローチャートである。
【０１４７】
図９を参照すると、基地局は、再伝送のための持続的なリソース割当情報を初期制御メッセージに含めることで、あらかじめ移動端末に再伝送領域情報を知らせることができる（Ｓ９０１）。
【０１４８】
上記Ｓ９０１段階で、再伝送に必要な情報は、固定されたリソース割当領域情報とＭＣＳレベル情報または伝送時点（ＮＡＣＫ信号を受信した後に何番目のフレームに再伝送をするかに関する情報）を含むことができる。
【０１４９】
また、新しい伝送領域を通じて再伝送を行ったにもかかわらず持続して誤りが発生する場合に備えて、基地局は移動端末と所定のＮＡＣＫ信号を反復して受信する回数を交渉することができる。基地局または移動端末がこの所定回数以上ＮＡＣＫ信号を受信すると、基地局は再び新しい再伝送領域を割り当てるための制御メッセージを伝送することができる。
【０１５０】
本発明のさらに他の実施例では、所定のＮＡＣＫ信号を受信する回数を２回とした。もちろん、この所定のＮＡＣＫ信号を受信する回数は、システムの要求事項によって変わることができ、通信環境によって変わることもできる。
【０１５１】
また、再伝送のために固定的な無線リソース領域を割り当てる方法は、図３乃至図５で説明した方法を用いると好ましい。本発明のさらに他の実施例では、一つの移動端末と基地局が通信する場合を仮定するが、一つ以上の移動端末と基地局が通信を行う場合には、図３乃至図５の方法を用いて再伝送のための無線リソース領域を割り当てることができる。
【０１５２】
図９を参照すると、下りリンク伝送において、基地局は移動端末にＤＬ  ＶｏＩＰ  ｐａｃｋｅｔ  ＃１を伝送する。ただし、ＤＬ  ＶｏＩＰ  ｐａｃｋｅｔ  ＃１に誤りが発生したりＤＬ  ＶｏＩＰ  ｐａｃｋｅｔ  ＃１が有無線上で失われたりする場合が生じうる（Ｓ９０２）。
【０１５３】
移動端末は、受信したパケットに誤りがあり、正常にパケットに含まれた情報を確認できない、または、パケットが失われて受信できない場合は、受信失敗を知らせるためにＮＡＣＫ信号を基地局に伝送する（Ｓ９０３）。
【０１５４】
ＮＡＣＫ信号を受信した基地局は、初期制御メッセージに含まれたリソース割当領域情報を用いて、再伝送のためにあらかじめ設定した再伝送領域を通じてＤＬ  ＶｏＩＰ  ｐａｃｋｅｔ  ＃１を再伝送することができる（Ｓ９０４）。しかし、再伝送されたＶｏＩＰパケットにも誤りが発生した場合、移動端末は再びＮＡＣＫ信号を基地局に伝送する（Ｓ９０５）。
【０１５５】
基地局にとっては、移動端末から受信したＮＡＣＫ信号の回数が２回となるので、初期サービス設定時に移動端末と交渉した回数を満たす。したがって、基地局は再び、新しい再伝送領域を割り当てるために再伝送のための制御メッセージを移動端末に伝送する（Ｓ９０６）。Ｓ９０６段階で再伝送領域を割り当てるための制御メッセージには、新しい再伝送領域に関する情報とＭＣＳレベル情報または伝送時点に関する情報が含まれることができる。
【０１５６】
基地局がＳ９０６段階で制御メッセージを通じて移動端末に新しい再伝送領域を割り当て、再びＤＬ  ＶｏＩＰ  ｐａｃｋｅｔ  ＃１を再伝送できる（Ｓ９０７）。移動端末は、ＤＬ  ＶｏＩＰ  ｐａｃｋｅｔ  ＃１を正常に受信すると、基地局にＡＣＫ信号を伝送して、伝送成功を知らせることができる。
【０１５７】
ＶｏＩＰサービスを送受信する途中に、上りリンクでデータパケットを伝送する場合が発生しうる。すなわち、移動端末が基地局にＶｏＩＰパケットを伝送する過程で、ＵＬ  ＶｏＩＰ  ｐａｃｋｅｔ  ＃１を基地局に再伝送する場合が生じうる（Ｓ９０８）。
【０１５８】
ただし、Ｓ９０８段階で再伝送したＶｏＩＰパケットにも誤りが発生した場合、基地局は移動端末にＮＡＣＫ信号を伝達して、パケットに誤りが発生したことを知らせることができる（Ｓ９０９）。
【０１５９】
Ｓ９０９段階でＮＡＣＫ信号を受信した移動端末は、連続して２回ＮＡＣＫ信号を受信した場合に該当するので、最初サービス形成時に基地局と交渉したＮＡＣＫ信号を受信した回数を満たすことになる。この時、基地局は、移動端末から受信したＶｏＩＰパケットに誤りが２回以上発生した事実を既に知っているので、移動端末の要請がなくても、移動端末に新しい再伝送領域を割り当てるために制御メッセージを伝送することができる（Ｓ９１０）。
【０１６０】
Ｓ９１０段階で新しい再伝送領域が割り当てられた移動端末は、基地局にＵＬ  ＶｏＩＰ  ｐａｃｋｅｔ  ＃１を再伝送することができる（Ｓ９１１）。
【０１６１】
本発明のさらに他の実施例では、下りリンクまたは上りリンクで再伝送領域を割り当てて再伝送を行っても反復的に誤りが発生する場合を示す。この場合、基地局は、再び新しい再伝送領域を割り当て、続けて誤りが発生するチャネルの代わりに別のチャネルを通じてＶｏＩＰパケットを伝送することによって、データ処理効率を増加させることができる。
【０１６２】
図１０は、本発明のさらに他の実施例による、上りリンクで基地局が一つ以上の移動端末とＶｏＩＰサービスを送受信する過程で再伝送を行う方法を示すフローチャートである。
【０１６３】
図１０を参照すると、基地局は、自身のサービス領域内に存在する一つ以上の移動端末にＶｏＩＰサービスを提供することができる。この時、基地局は、再伝送のための初期制御メッセージを用いて、多数の移動端末のうち第１移動端末ＭＳ１及び第２移動端末ＭＳ２に、パケット再伝送のためのリソース割当領域などに関する情報を伝達することができる（Ｓ１００１，Ｓ１００２）。
【０１６４】
Ｓ１００１及びＳ１００２段階で、再伝送のための初期制御メッセージは特定ＵＬ／ＤＬ−ＭＡＰ  ＩＥまたはＤＳＡ−ＲＥＱ／ＲＳＰメッセージであっても良く、システムの要求事項によって別のＭＡＣ管理メッセージにしても良い。また、再伝送のための情報には、固定されたリソース割当領域に関する情報及びＭＡＣレベル情報または伝送時点（例えば、ＮＡＣＫを受信した後に何番目のフレーム後に再伝送をするかに関する情報）を含むことができる。また、再伝送のための固定的な無線リソース領域を割り当てる方法は、図４及び図５で説明した方法を用いることが好ましい。
【０１６５】
本発明のさらに他の実施例で、基地局がＭＳ１及びＭＳ２を同じ属性（例えば、割り当てられたリソース領域の大きさが同一である）を有する端末であると見なし、一つのグループにし、ＭＳ１及びＭＳ２に同一の再伝送領域を割り当てたり、ＶｏＩＰパケット再伝送のための共有再伝送チャネルを指定したりすることができる。
【０１６６】
ＭＳ１は、ＶｏＩＰパケットの伝送のために基地局にＵＬ  ＶｏＩＰ  ｐａｃｋｅｔ  ＃１を伝送する（Ｓ１００３）。また、ＭＳ２は、ＶｏＩＰパケットの伝送のために基地局にＵＬ  ＶｏＩＰ  ｐａｃｋｅｔ  ＃２を伝送する（Ｓ１００４）。ただし、ＵＬ  ＶｏＩＰ  ｐａｃｋｅｔ  ＃１及びＵＬ  ＶｏＩＰ  ｐａｃｋｅｔ  ＃２に誤りが発生して、基地局でそれを復元できない場合が生じうる。
【０１６７】
基地局は、当該上りリンクＶｏＩＰパケットに誤りが発生したことをＮＡＣＫ信号を通じてＭＳ１及びＭＳ２に知らせる（Ｓ１００５，Ｓ１００６）。
【０１６８】
この時、ＭＳ１及びＭＳ２が再伝送を行う場合、同一の再伝送領域が割り当てられたため、同時に同一の領域を通じてパケットを再伝送することができない。したがって、基地局は、ＭＳ１は、既に割り当てられた再伝送領域を通じてパケットを再伝送するようにし、ＭＳ２には他の再伝送領域を割り当て、この領域を通じて再伝送をするようにしなければならない。したがって、基地局は、再伝送のための制御メッセージを通じてＭＳ２に新しい再伝送領域を割り当てることができる（Ｓ１００７）。
【０１６９】
ＭＳ１は、Ｓ１００１段階であらかじめ割り当てられた再伝送領域を通じてＵＬ  ＶｏＩＰ  ｐａｃｋｅｔ  ＃１を再伝送し（Ｓ１００８）、ＭＳ２は、Ｓ１００７段階で再び割り当てられた再伝送領域を通じて、ＵＬ  ＶｏＩＰ  ｐａｃｋｅｔ  ＃２を再伝送することによって、再伝送するパケット間の衝突を防止することができる（Ｓ１００９）。これにより、再伝送されるパケット間の衝突なしでより効率的なパケット再伝送を行うことができる。
【０１７０】
本発明は、本発明の精神及び必須特徴を逸脱しない範囲で他の特定の形態で具体化できることは当業者には自明である。したがって、上記の詳細な説明は、いかなる面においても制約的に解釈されてはならず、例示的なものとして考慮しなければならない。本発明の範囲は、添付の請求項の合理的解釈により決定されなければならず、本発明の等価的範囲内におけるあらゆる変更は本発明の範囲に含まれる。
【産業上の利用可能性】
【０１７１】
本発明の実施例は、様々な無線接続システムに適用されることができる。また、本発明の実施例は、本発明の技術的思想と同一または類似する、または、これを用いるあらゆる産業分野に適用可能である。
【図１】
2010537542.tif 000003
【図２】
2010537542.tif 000004
【図３】
2010537542.tif 000005
【図４】
2010537542.tif 000006
【図５】
2010537542.tif 000007
【図６】
2010537542.tif 000008
【図７】
2010537542.tif 000009
【図８】
2010537542.tif 000010
【図９】
2010537542.tif 000011
【図１０】
2010537542.tif 000012
【国際調査報告】
2010537542.tif 000013
2010537542.tif 000014